(57)【要約】【課題】製造工程数を低減した効率的な吸着器および吸着器の製造方法を提供する。【解決手段】本実施形態の吸着器の製造方法は、チューブ１３をケーシング１内部に配置して組み立てる組立工程（Ｓ１０）と、ケーシング１内部に銅粉および吸着剤を入れて、銅粉および吸着剤をチューブ１３の周辺部１４に位置させる銅粉および吸着剤の投入工程（Ｓ２０）と、この投入工程において銅粉および吸着剤を入れた投入口を少なくとも閉じて、ろう付け前状態の吸着器本体を形成するろう付け準備完了工程（Ｓ３０）と、ろう付け前状態の吸着器本体を炉の中に入れて加熱することにより、吸着器本体を構成する部品同士をろう付け接合するとともに銅粉を焼結して焼結体を形成する炉中ろう付け工程（Ｓ４０）と、を少なくとも有している。【選択図】図１
2008070005.tif 000002
【特許請求の範囲】
【請求項１】
熱交換媒体が流れるチューブ（１３、２１、３６）と、前記チューブ（１３、２１、３６）に焼結体として結合された銅粉と、前記チューブ（１３、２１、３６）の周辺部（１４、２２、３７）に存在する吸着剤と、を有する吸着コア（１５、２４、３３）をケーシング（１、１７、３３）内部に備えた吸着器の製造方法であって、
前記チューブ（１３、２１）を前記ケーシング（１、１７、３３）内部に配置して組み立てる組立工程と、
前記ケーシング（１、１７、３３）内部に銅粉および吸着剤を入れて、前記銅粉および吸着剤を前記チューブ（１３、２１、３６）の周辺部（１４、２２、３７）に位置させる銅粉および吸着剤の投入工程と、
前記投入工程において前記銅粉および吸着剤を入れた投入口を少なくとも閉じて、ろう付け前状態の吸着器本体を形成するろう付け準備完了工程と、
ろう付け前状態の前記吸着器本体を炉の中に入れて加熱することにより、前記吸着器本体を構成する部品同士をろう付け接合するとともに前記銅粉を焼結して焼結体を形成する炉中ろう付け工程と、
を有することを特徴とする吸着器の製造方法。
【請求項２】
前記組立工程においては前記ケーシング（１、１７）内部の一方側に前記吸着コア（１５、２４）を設けるように組み立てることとし、
前記ろう付け前状態の前記吸着器本体は、前記ケーシング（１、１７）内部の一方側に前記吸着コア（１５）が配置され、他方側にチューブ（１０、３０）を備えた熱交換器（１２、２５）が配置されている構成であり、
前記炉中ろう付け工程においては前記吸着コア（１５、２４）が下側に位置し、前記熱交換器（１２、２５）が上側に位置する状態に配置した前記吸着器本体を炉の中で加熱することとし、
前記炉中ろう付け工程の後に、前記熱交換器（１２、２５）の前記チューブ（１０、３０）の周辺部（１１、３１）に位置させる冷媒を、前記熱交換器（１２、２５）が前記吸着コア（１５、２４）よりも下側に位置するように前記吸着器本体を配置した状態で前記ケーシング（１、１７）内部に封入することを特徴とする請求項１に記載の吸着器の製造方法。
【請求項３】
前記組立工程においては、前記吸着コア（１５）を構成する前記チューブ（１３）をその全体が一方向に伸長するように前記ケーシング（１）の内側面に沿って配置して組み立てることを特徴とする請求項２に記載の吸着器の製造方法。
【請求項４】
前記組立工程においては、前記吸着コア（２４）を構成する前記チューブ（２１）に略Ｕ字状のチューブを用い、前記チューブ（２１）を前記ケーシング（１）内部の一方側に配置して組み立てることを特徴とする請求項２に記載の吸着器の製造方法。
【請求項５】
前記炉中ろう付け工程においては、前記銅粉および吸着剤が前記熱交換器（１２、２５）を構成する前記チューブ（１０、３０）に接触しない状態で前記吸着器本体を炉の中に配置してろう付けを行うことを特徴とする請求項２から４のいずれか一項に記載の吸着器の製造方法。
【請求項６】
前記炉中ろう付け工程において前記部品同士をろう付け接合するために用いられるろう材の溶融温度は、７００℃から１０００℃の範囲に含まれることを特徴とする請求項１から５のいずれか一項に記載の吸着器の製造方法。
【請求項７】
ろう材によって互いにろう付けされた複数の部品から構成され、内部に収容空間を区画するケーシング（１、１７、３３）と、
前記ケーシング内に収容され、熱交換媒体が流れるチューブ（１３、２１、３６）と、
前記ケーシング内に収容され、前記チューブに焼結体として結合された銅粉と、
前記ケーシング内に収容され、前記チューブの周辺部（１４、２２、３７）に存在する吸着剤と、を備え、
前記焼結体は、前記ろう材のろう付け温度と同じ温度を焼結温度とする焼結材料により構成され、前記ケーシング内の壁面によって成形された形状を有していることを特徴とする吸着器。
【発明の詳細な説明】
【技術分野】
【０００１】
本発明は、吸着剤が気相冷媒を吸着する作用を用いて冷媒を蒸発させ、その蒸発潜熱により冷凍能力を発揮する吸着器およびその製造方法に関する。
【背景技術】
【０００２】
従来この種の吸着器の製造方法としては、例えば、特許文献１に示されたものが知られている。この製造方法の手順は、まず、チューブ、フィン、タンク、および配管を組み立て、これらの各部品をろう付け接合することにより、吸着器を構成する蒸発器／凝縮コアおよび吸着コアを個々に製作する。次に、吸着器の外枠を構成するケーシングの内部に、個々に製作された蒸発器／凝縮コアと吸着コアを収納した状態で、ケーシングと、当該蒸発器／凝縮コアおよび当該吸着コアのそれぞれとを一体ろう付けして吸着器を製作するものであった。
【特許文献１】特開２００２−３３６９５９号公報
【発明の開示】
【発明が解決しようとする課題】
【０００３】
しかしながら、上記特許文献１に記載の吸着器の製造方法においては、蒸発器／凝縮コアおよび吸着コアのそれぞれを個々に製作した後に、これらを一体化して吸着器を形成するため、多くの工程を要するという問題があった。
【０００４】
本発明の目的は、上記問題点に鑑みてなされたものであり、製造工程数を低減した効率的な吸着器および吸着器の製造方法を提供することにある。
【課題を解決するための手段】
【０００５】
本発明は上記目的を達成するために、以下の技術的手段を採用する。すなわち、熱交換媒体が流れるチューブ（１３、２１、３６）と、このチューブ（１３、２１、３６）に焼結体として結合された銅粉と、チューブ（１３、２１、３６）の周辺部（１４、２２、３７）に存在する吸着剤と、を有する吸着コア（１５、２４、３３）をケーシング（１、１７、３３）内部に備えた吸着器の製造方法であり、
チューブ（１３、２１）をケーシング（１、１７、３３）内部に配置して組み立てる組立工程と、ケーシング（１、１７、３３）内部に銅粉および吸着剤を入れて、銅粉および吸着剤をチューブ（１３、２１、３６）の周辺部（１４、２２、３７）に位置させる銅粉および吸着剤の投入工程と、この投入工程において銅粉および吸着剤を入れた投入口を少なくとも閉じて、ろう付け前状態の吸着器本体を形成するろう付け準備完了工程と、ろう付け前状態の上記吸着器本体を炉の中に入れて加熱することにより、吸着器本体を構成する部品同士をろう付け接合するとともに上記銅粉を焼結して焼結体を形成する炉中ろう付け工程と、を有することを特徴としている。
【０００６】
この発明によれば、吸着器を構成する部品同士をろう付け接合する工程、チューブの周辺部で銅粉を焼結する工程、および吸着剤が吸着作用を発揮できる状態にする工程を炉中ろう付け工程によって実施するので、製造工程数を低減した効率的な製造方法を提供できる。
【０００７】
さらに上記組立工程においては、ケーシング（１、１７）内部の一方側に吸着コア（１５、２４）を設けるように組み立て、ろう付け前状態の上記吸着器本体は、上記ケーシング（１、１７）内部の一方側に上記吸着コア（１５）が配置され、他方側にチューブ（１０、３０）を備えた熱交換器（１２、２５）が配置されている構成であり、上記炉中ろう付け工程においては上記吸着コア（１５、２４）が下側に位置し、上記熱交換器（１２、２５）が上側に位置する状態に配置した上記吸着器本体を炉の中で加熱し、炉中ろう付け工程の後に、上記熱交換器（１２、２５）のチューブ（１０、３０）の周辺部（１１、３１）に位置させる冷媒を、上記熱交換器（１２、２５）が上記吸着コア（１５、２４）よりも下側に位置するように上記吸着器本体を配置した状態でケーシング（１、１７）内部に封入することが好ましい。
【０００８】
この発明によれば、一方側に吸着コアが配置され、他方側に熱交換器が配置される構造の吸着器を製造する場合に、炉中ろう付け工程における銅粉の焼結と、炉中ろう付け工程後における熱交換器のチューブ周辺部に冷媒を封入する工程と、を正確に実施することができる。
【０００９】
さらに組立工程においては、上記吸着コア（１５）を構成するチューブ（１３）をその全体が一方向に伸長するように上記ケーシング（１）の内側面に沿って配置することが好ましい。
【００１０】
この発明によれば、チューブ内の熱交換媒体（冷媒）が流れる方向に対して直角方向に並んで配置される吸着コアおよび熱交換器を備えた効率的な吸着器の製造方法を提供することができる。
【００１１】
また、組立工程においては、上記吸着コア（２４）を構成するチューブ（２１）に略Ｕ字状のチューブを用い、このチューブ（２１）を上記ケーシング（１）内部の一方側に配置することが好ましい。
【００１２】
この発明によれば、それぞれ略Ｕ字状のチューブを有してケーシング内で一方側と他方側に分かれて配置される吸着コアおよび熱交換器を備えた効率的な吸着器の製造方法を提供することができる。
【００１３】
さらに上記炉中ろう付け工程においては、銅粉および吸着剤が上記熱交換器（１２、２５）を構成するチューブ（１０、３０）に接触しないように、上記吸着器本体を炉の中に配置することが好ましい。
【００１４】
この発明によれば、炉中ろう付け工程で焼結される銅粉が熱交換器を構成するチューブに付着して焼結されてしまうことを防止する製造方法を提供することができる。
【００１５】
さらに上記すべての発明のいずれかにおいて、上記炉中ろう付け工程で上記部品同士をろう付け接合するために用いられるろう材の溶融温度は、７００℃から１０００℃の範囲に含まれることが好ましい。
【００１６】
この発明によれば、７００℃から１０００℃の範囲は銅粉が焼結する温度であるので、吸着器本体を炉の中に一度通すことにより、ろう付け接合と焼結を同時に実施することができる。
【００１７】
上記目的を達成するために、ろう材によって互いにろう付けされた複数の部品から構成され、内部に収容空間を区画するケーシング（１、１７、３３）と、ケーシング内に収容され、熱交換媒体が流れるチューブ（１３、２１、３６）と、ケーシング内に収容され、チューブに焼結体として結合された銅粉と、ケーシング内に収容され、チューブの周辺部（１４、２２、３７）に存在する吸着剤と、を備え、焼結体は、ろう材のろう付け温度と同じ温度を焼結温度とする焼結材料により構成され、ケーシング内の壁面によって成形された形状を有している吸着器という技術的手段を採用することができる。
【００１８】
この発明によると、焼結体の焼結温度とろう材のろう付け温度とが同じなので、ろう付け工程と焼結工程とを同時に行うことができ、製造が容易な吸着器を提供することができる。ここで、同じ温度とは、ろう付け工程と、焼結工程とを同時に行いうる範囲を包含する。
【００１９】
なお、上記各手段の括弧内の符号は、後述する実施形態に記載の具体的手段との対応関係を示す一例である。
【発明を実施するための最良の形態】
【００２０】
（第１実施形態）
本発明の第１実施形態における吸着器および吸着器の製造方法を図１〜図５を用いて説明する。図１は本実施形態と後述する第２実施形態および第３実施形態における吸着器の製造工程を示した流れ図である。図２は図１に示すステップＳ３０の工程を行った後の吸着器本体の内部状態を示した模式的な断面図である。図３は図２に示す切断面をＩＩＩ方向からみたときの断面図である。図４は図１に示すステップＳ４０の工程における、吸着器本体内部の状態を示した断面図である。図５は図１に示すステップＳ５０の工程を行った後の吸着器本体の内部状態を示した一部破断の模式的断面図である。
【００２１】
以下にその製造方法を説明する吸着器は、その内部に含む吸着剤が気相冷媒を吸着する作用を用いて冷媒を蒸発させてその蒸発潜熱により冷凍能力を発揮することを利用して吸着式冷凍機に使用されるものであり、車両用などの空調装置に適用することもできる。この吸着器は、筐体を構成するケーシング内に少なくとも吸着コアを備えている。吸着コアは、熱交換媒体（冷媒）が流れるチューブと、チューブに焼結体として結合した銅粉と、焼結体とともにチューブの周辺部に存在する吸着剤と、を含んでいる。
【００２２】
この吸着器は、本実施形態のように吸着剤が保持された吸着コアをケーシング内の上方側に収納し、下方側に、チューブ内を流れる熱交換媒体とケーシング内に封入された冷媒との間で熱交換を行う熱交換器を収納する構成でもよいし、後述する第３実施形態のように吸着コアを熱交換器と別体にしてケーシング内に吸着コアのみを備える構成としてもよい。また、ケーシングおよびチューブは、その径方向断面が円筒形状、楕円形状、矩形状のいずれの形状であってもよい。
【００２３】
図１に示すように、吸着器の製造工程は、ケーシング１内に銅粉および吸着剤を投入する工程（ステップＳ２０）の前に各構成部品を組み立てる工程（ステップＳ１０）と、ケーシング１内に銅粉および吸着剤を投入する工程（ステップＳ２０）と、銅粉および吸着剤を投入した投入口を少なくとも閉じてろう付け準備を完了する工程（ステップＳ３０）と、吸着器本体を炉の中に入れてろう付けする工程（ステップＳ４０）と、ケーシング１内に冷媒を注入して、熱交換器１２を構成するチューブ１０の周辺部１１に冷媒を封入する工程（ステップＳ５０）と、を有するものである。
【００２４】
ステップＳ１０の組立工程は、ステップＳ２０の銅粉および吸着剤をケーシング１内に投入する工程前の準備工程であり、銅粉および吸着剤を投入する前に組み立て可能な構成部品をできるだけ組み立てておくことが好ましい。
【００２５】
ステップＳ１０の工程においては、吸着コア１５の構成部品である複数本のチューブ１３の一端をヘッダに貫通して保持させた状態で当該チューブ１３を箱体状のケーシング１内部の一方側に配置し、さらに熱交換器１２の構成部品である複数本のチューブ１０の一端を同ヘッダに貫通して保持させた状態で当該チューブ１０をケーシング１内部の他方側に配置する。つまり、ケーシング１内部では、チューブ１０および１３が伸長する長手方向に対して直角方向に吸着コア１５と熱交換器１２が並んで配置されることになる。さらに、ヘッダに流入口７および流出口５を設けたカバーを組み付けタンク３を形成する。
【００２６】
隣り合うチューブ１３は互いに所定間隔をあけて設けられ、各チューブ１３のまわりには空間である周辺部１４が形成されている。同様に、隣り合うチューブ１０も互いに所定間隔をあけて設けられ、各チューブ１０のまわりには空間である周辺部１１が形成されている。複数本のチューブ１３がヘッダからタンク３内部に突出する空間と複数本のチューブ１０がヘッダからタンク３内部に突出する空間は、仕切り板９によって区画されており、チューブ１３、チューブ１０の内部とそれぞれ連通するとともに、タンク３に設けられた流入口７と流出口５にそれぞれ連通している。このようして、組立工程においては、吸着コア１５を構成するチューブ１３およびチューブ１０は、その全体が一方向（ケーシング１の長手方向）に伸長するようにケーシング１の内側面に沿って配置されて組み立てられる。
【００２７】
次に実施するステップＳ２０の投入工程は、吸着コア１５のチューブ１３の周辺部１４に焼結させる銅粉および保持させる吸着剤を、ケーシング１内部に投入する工程である。吸着剤としては、ゼオライトを採用し、特にアルミノリン酸系のゼオライトを採用することが好ましい。この吸着剤は、後のステップＳ４０の工程で焼結された銅粉が形成する多孔部に入り込んで保持される。そして、吸着剤は、冷却される状態において、例えば水蒸気やアルコール水溶液等の吸着質を吸着し、吸着質を吸着することにより吸着能力が低下していくが、さらに加熱される状態におかれることにより、吸着していた吸着質を脱離して吸着能力が再生されることになる。
【００２８】
この銅粉および吸着剤を投入するための投入口は、ケーシング１のタンク３に対して反対側の位置に別途設けた開口であり、例えば、この開口は熱交換器１２側のケーシング１の側面に設ける。この場合、当該別途設けた開口は、銅粉および吸着剤の投入用であり、後のステップＳ３０において蓋等により閉じる工程を実施する。
【００２９】
また、銅粉および吸着剤は、タンク３と反対側に位置する長手方向端部に設けられるタンク２を組み立てる前に投入してもよい。この場合は、銅粉および吸着剤を投入後、複数本のチューブ１０およびチューブ１３の他端をヘッダに貫通させて保持し、さらに、ヘッダに流入口４および流出口６を設けたカバーを組み付けタンク２を形成する。タンク２の内部では、複数本のチューブ１０がヘッダから突出している空間と、複数本のチューブ１３がヘッダから突出している空間とが、仕切り板８によって区画されており、チューブ１０、チューブ１３の内部とそれぞれ連通するとともに、タンク２に設けられた流入口４と流出口６にそれぞれ連通している。
【００３０】
次に実施するステップＳ３０の工程は、炉中ろう付け接合が必要となる構成部品をＳ４０のろう付け工程前にすべて組み立てておくろう付け前準備完了工程である。図２に示すように、ろう付け前準備完了工程を行った後の吸着器本体は、吸着コア１５を地側、熱交換器１２を天側になるように置かれることにより、銅粉および吸着剤が吸着コア１５のチューブ１３の周辺部１４に存在するようにすることができる。
【００３１】
また、吸着器本体の内部構造をケーシング１の長手方向に対して垂直な平面について図２のＩＩＩ方向からみると、図３に示すように、円筒形状断面のケーシング１の水平方向中心線Ｘよりも下方（地側）に吸着コア１５、チューブ１３、銅粉および吸着剤が配置され、水平方向中心線Ｘよりも上方（天側）に熱交換器１２およびチューブ１０が配置されることになる。特に、銅粉および吸着剤の投入量は、銅粉および吸着剤が熱交換器１２のチューブ１０に接触しない程度の量にしている。また、複数本のチューブ１０およびチューブ１３は、ケーシング１の鉛直方向中心線Ｙについて左右対称となるように配置されている。
【００３２】
なお、銅粉および吸着剤の投入時に、熱交換器１２側のチューブ１０等の構成部品に銅粉等が付着した場合には、これを振り落とす作業を行うことが好ましい。これは、後の炉中ろう付け工程において銅粉を熱交換器１２側で焼結させないためである。また、ろう材の供給については、ろう付けを必要とする箇所にろう材を塗布したり、ろう材が被覆されたクラッド材をタンク、チューブ、ケーシング、ヘッダ等の構成部品の材料として使用したりすることにより対応する。
【００３３】
次に実施するステップＳ４０の炉中ろう付け工程は、吸着器を構成する部品同士のろう付け接合と、ステップＳ２０で投入された銅粉の焼結と、投入された吸着剤の定着と、を行う工程である。投入されている銅粉の焼結温度は７００℃〜１０００℃の範囲であるので、ろう材は７００℃〜１０００℃の範囲に含まれる溶融温度を備えるものを使用する。例えば、ろう材は銅系または銀系の材料を使用する。さらに、吸着剤は、炉の中で上記高温雰囲気にさらされるため、炉内温度（７００℃以上）において破壊されないものを使用する。
【００３４】
炉の中で吸着器本体は、図４に示すように、吸着コア１５が熱交換器１２よりも下方に位置するように設置することとし、銅粉等が熱交換器１２のチューブ１０に接触しない程度まで吸着器本体を傾けて設置してもよい。例えば、吸着器本体を傾けた設置状態（図４参照）の水平方向中心線Ｘ１および鉛直方向中心線Ｙ１と、吸着器本体を傾ける前の設置状態（図３参照）の水平方向中心線Ｘおよび鉛直方向中心線Ｙとがなす角度αは、銅粉等が熱交換器１２のチューブ１０に接触しない角度αとすることが好ましい。
【００３５】
ここで、ｔａｎα  ＜  ｂ／ａの関係にあり、図４に示すように、ａは当該中心線Ｘに最も近い位置にあるチューブ１０の外周部と吸着器本体の断面中心（ＸとＹの交点）との距離、つまり、当該断面中心と当該チューブ１０との接線の長さであり、ｂは当該接線に対して直角な接点を通る線と中心線Ｘとの交点から当該接点までの距離である。
【００３６】
炉中ろう付け工程が施された吸着器本体の吸着コア１５には、銅粉が焼結体としてチューブ１３の周辺部１４に存在し、チューブ１３の表面に結合している。この焼結体は、多孔部を備える微細な構造体であり、多大な表面積を有し伝熱を促進するフィンの機能を備えている。吸着剤はこの構造体の多孔部に定着して保持されている。
【００３７】
焼結体は、ろう材のろう付け温度と同じ温度を焼結温度とする焼結材料により構成されている。焼結体は、ケーシング１内の壁面を外郭として、その内壁面によって成形された形状を有している。また、ケーシング１の内壁面は焼結体の成形器具の働きを有する。
【００３８】
よって、焼結体の塊の外側表面のうち、ケーシング１内の壁面と対向する部分は、切削などの加工痕のない焼結しただけの面であって、ケーシング１内の壁面と対向し、相似の形状をもっている。焼結体の塊の外側表面のうち、ケーシング１内の壁面と対向しない部分は、焼結材料である銅粉が堆積しただけの、切削などの加工痕のない面となっている。焼結体の内部においては、焼結材料である銅粉が堆積した状態で焼結されている。焼結体は、その内部に堆積により生じる密度分布を有することができる。
【００３９】
次に実施するステップＳ５０の工程は、熱交換器１２のチューブ１０の周辺部１１に冷媒（例えば、水）を封入する工程である。冷媒は、熱交換器１２を吸着器１５よりも地側（下方）に位置させた状態で、あらかじめ冷媒注入用に設けられた注入口からケーシング１内部に所定量注入され、ケーシング１内部の熱交換器１２が占有する空間の全体を満たさない程度にチューブ１０の周辺部１１に満たされる。そして、所定量の冷媒の注入が完了すると、上記注入口を封止して冷媒が封入されることになる。
【００４０】
以上の工程を経て製造された吸着器１６は、図５に示すように、銅粉の焼結体を備える吸着コア１５を天側（上方）に位置させ、チューブ１０の周辺部１１に冷媒が存在する熱交換器１２を地側（下方）に位置させた状態で使用される。熱交換器１２に存在する冷媒は、吸着剤の吸着質に対する吸着作用および脱離作用により、蒸発、凝縮を一定サイクルで繰り返し、このとき蒸発に伴う冷熱や凝縮に伴う加熱はチューブを介して熱交換媒体（冷媒）に伝達される。つまり、熱交換器１２は、吸着器１６が蒸発、吸着状態にあるときは蒸発器として機能し、吸着器１６が凝縮、脱離状態にあるときは凝縮器として機能することになる。
【００４１】
このように本実施形態における吸着器１６の製造方法は、チューブ１３をケーシング１内部に配置して組み立てる組立工程（Ｓ１０）と、ケーシング１内部に銅粉および吸着剤を入れて、銅粉および吸着剤をチューブ１３の周辺部１４に位置させる銅粉および吸着剤の投入工程（Ｓ２０）と、この投入工程において銅粉および吸着剤を入れた投入口を少なくとも閉じて、ろう付け前状態の吸着器本体を形成するろう付け準備完了工程（Ｓ３０）と、ろう付け前状態の吸着器本体を炉の中に入れて加熱することにより、吸着器本体を構成する部品同士をろう付け接合するとともに銅粉を焼結して焼結体を形成する炉中ろう付け工程（Ｓ４０）と、を有している。
【００４２】
この製造方法によれば、吸着器１６を構成する部品同士をろう付け接合する工程、銅粉を焼結体にする工程、および吸着剤が吸着作用を発揮できる状態にする工程を一つの工程によって実施することができる。
【００４３】
（第２実施形態）
本発明の第２実施形態の製造方法を図１、および図６〜図８を用いて説明する。本実施形態において製造する吸着器３２は、第１実施形態の吸着器１６に対して、吸着コア２４を構成するチューブ２１および熱交換器２５を構成するチューブ３０がともに略Ｕ字状の複数本のチューブであり、吸着コア２４と熱交換器３２とが吸着器３２の長手方向に並ぶように配置されている点が異なる。なお、本実施形態の吸着器３２の製造工程は、図１に示す工程と同様であり、以下に、各工程の詳細および作用効果について第１実施形態の方法と異なる点のみを説明する。
【００４４】
図１のステップＳ１０の工程では、吸着コア２４の構成部品である複数本の略Ｕ字状のチューブ２１の両端部をヘッダに貫通して保持させた状態で当該チューブ２１をケーシング１７内部の一方側に配置する。隣り合うチューブ２１は互いに所定間隔をあけて設けられ、各チューブ２１のまわりには空間である周辺部２２が形成されている。チューブ２１の流入側端部がヘッダからタンク１８の内部に突出する空間とチューブ２１の流出側他端部がヘッダからタンク１８内部に突出する空間は、仕切り板２３によって区画されており、チューブ２１の内部にともに連通するとともに、タンク１８に設けられた流入口１９と流出口２０にそれぞれ連通している。このようして、組立工程においては、吸着コア２４を構成する略Ｕ字状のチューブ２１は、ケーシング１７内部の一方側に配置されて組み立てられる。
【００４５】
次に実施するステップＳ２０の投入工程では、吸着コアのチューブ３６の周辺部３７に焼結させる銅粉および保持させる吸着剤を投入する。この銅粉および吸着剤を投入するための投入口は、ケーシング３３のタンク３９に対して反対側の位置に別途設けた開口４０である。この場合、当該別途設けた開口４０は、銅粉および吸着剤の投入用であり、後のステップＳ３０において蓋等により開口４０を閉じる工程を実施する。図９は、銅粉および吸着剤を投入口から投入している状態を示している。
【００４６】
また、銅粉および吸着剤は、タンク３９と反対側に位置するタンク３５を組み立てる前に投入してもよい。この場合は、銅粉および吸着剤を投入後、複数本のチューブ３６の他端部をヘッダに貫通させて保持し、さらに、ヘッダに流入口３４を設けたカバーを組み付けタンク３５を形成する。タンク３５の内部空間では、複数本のチューブ３６がヘッダから突出している。
【００４７】
次に実施するステップＳ３０の工程は、炉中ろう付け接合が必要となる構成部品をＳ４０のろう付け工程前にすべて組み立てるろう付け前準備完了工程である。
【００４８】
以降のステップＳ４０の工程については、第１実施形態に記載の説明と同様に実施する。そして、すべての製造工程を経て完成した吸着器３２は、図８に示すように、銅粉が焼結体となり吸着剤が焼結体に保持される内部状態を呈する。
【００４９】
以上の工程を経て製造された吸着器３２は、図８に示すように、銅粉の焼結体を備える吸着コア２４を天側（上方）に位置させ、チューブ３０の周辺部３１に冷媒が存在する熱交換器２５を地側（下方）に位置させた状態で使用される。熱交換器２５に存在する冷媒は、吸着剤の吸着質に対する吸着作用および脱離作用により、蒸発、凝縮を一定サイクルで繰り返し、このとき蒸発に伴う冷熱や凝縮に伴う加熱はチューブを介して熱交換媒体（冷媒）に伝達される。つまり、熱交換器２５は、吸着器２４が蒸発、吸着状態にあるときは蒸発器として機能し、吸着器２４が凝縮、脱離状態にあるときは凝縮器として機能することになる。
【００５０】
（第３実施形態）
本発明の第３実施形態の製造方法を図１、図９、および図１０を用いて説明する。本実施形態において製造する吸着器４１は、第１実施形態の吸着器１６に対して、熱交換器がケーシング３３の内部に存在せず別体としてシステム上に存在するものであり、ケーシング３３の内部には吸着コアのみが設けられている点が異なる。なお、本実施形態の吸着器４１の製造工程は、図１に示すステップＳ１０〜Ｓ４０までの工程と同様であり、当然のことながら熱交換器を有していないためステップＳ５０の工程は実施しない。以下に、各工程の詳細および作用効果について第１実施形態の方法と異なる点のみを説明する。
【００５１】
図１のステップＳ１０の工程では、吸着コアの構成部品である複数本のチューブ３６の一端部を流出口３８を有するタンク３９のヘッダに貫通して保持させた状態でケーシング３３の一方側端部に配し、当該チューブ３６の他端部を流入口３４を有するタンク３５のヘッダに貫通して保持させた状態でケーシング３３の他方側端部に配する。これにより、ケーシング３３内部の全体に渡って伸長するチューブ３６がケーシング３３内部に配置されることになる。また、隣り合うチューブ３６は、互いに所定間隔をあけてケーシング３３の長手方向に伸長するように設けられ、各チューブ３６のまわりには空間である周辺部３７が形成されている。
【００５２】
次に実施するステップＳ２０の投入工程では、チューブ３６の周辺部３７に焼結させる銅粉および保持させる吸着剤を投入する。この銅粉および吸着剤を投入するための投入口は、ケーシング３６のタンク１８と反対側の開口である。銅粉および吸着剤の投入量は、銅粉および吸着剤が熱交換器２５を構成するチューブ３０に接触しない程度の量にしている。このようにステップＳ２０の投入工程後のケーシング１７の内部状態を示したものが図６である。
【００５３】
次に実施するステップＳ３０の工程は、吸着コア２４と対向するように組み立てた熱交換器２５をケーシング１７内部の他方側に配置するとともに、炉中ろう付け接合が必要となる構成部品をＳ４０のろう付け工程前にすべて組み立てるろう付け前準備完了工程である。
【００５４】
この熱交換器２５は、複数本の略Ｕ字状のチューブ３０の両端部をヘッダに貫通して保持させた状態で当該チューブ３０をケーシング１７内部の他方側に配置する。隣り合うチューブ３０は互いに所定間隔をあけて設けられ、各チューブ３０のまわりには空間である周辺部３１が形成されている。チューブ３０の流入側端部がヘッダからタンク２６の内部に突出する空間とチューブ３０の流出側他端部がヘッダからタンク２６の内部に突出する空間は、仕切り板２７によって区画されており、チューブ３０の内部にともに連通するとともに、タンク２６に設けられた流入口２９と流出口２８にそれぞれ連通している。
【００５５】
なお、ステップＳ２０の投入工程は、ケーシング１７に対して吸着器２４および熱交換器２５の両方を組み立てた後に行ってもよい。この場合は、熱交換器１２側のケーシング１７の側面に別途開口を設け、この開口から銅粉および吸着剤をケーシング１７の内部に投入する。この開口は、第１実施形態と同様に、銅粉および吸着剤の投入用であり、後のステップＳ３０において蓋等により閉じる工程を実施する。
【００５６】
以降のステップＳ４０の工程については、吸着器本体を炉の中に安定した状態で設置してろう付けを実施するのみであり、特に設置方向に制約はない。そして、すべての製造工程を経て完成した吸着器４１は、図１０に示すように、銅粉が焼結体となり吸着剤が焼結体に保持される内部状態を呈する。
【図面の簡単な説明】
【００５７】
【図１】本発明のすべての実施形態における吸着器の製造方法について、製造工程を示した流れ図である。
【図２】本発明の第１実施形態における吸着器の製造方法について、図１に示すステップＳ３０の工程を行った後の吸着器本体の内部状態を示した模式的な断面図である。
【図３】図２に示す切断面をＩＩＩ方向からみたときの断面図である。
【図４】図１に示すステップＳ４０の工程における、吸着器本体内部の状態を示した断面図である。
【図５】図１に示すステップＳ５０の工程を行った後の吸着器本体の内部構成を示した一部破断の模式的断面図である。
【図６】第２実施形態における吸着器の製造方法について、図１に示すステップＳ２０の工程を行った後の吸着器本体の内部状態を示した模式的な断面図である。
【図７】第２実施形態について、図１に示すステップＳ３０の工程を行った後の吸着器本体の内部状態を示した模式的な断面図である。
【図８】第２実施形態について、図１に示すステップＳ５０の工程を行った後の吸着器本体の内部状態を示した模式的な断面図である。
【図９】第３実施形態における吸着器の製造方法について、図１に示すステップＳ２０の工程を行った後の吸着器本体の内部状態を示した模式的な断面図である。
【図１０】第３実施形態について、図１に示すステップＳ４０の工程を行った後の吸着器本体の内部状態を示した模式的な断面図である。
【符号の説明】
【００５８】
１、１７…ケーシング
１０、３０…チューブ
１１、３１…周辺部
１２、２５…熱交換器
１３、２１、３６…チューブ
１４、２２、３７…周辺部
１５、２４…吸着コア
３３…ケーシング（吸着コア）
【図１】
2008070005.tif 000003
【図２】
2008070005.tif 000004
【図３】
2008070005.tif 000005
【図４】
2008070005.tif 000006
【図５】
2008070005.tif 000007
【図６】
2008070005.tif 000008
【図７】
2008070005.tif 000009
【図８】
2008070005.tif 000010
【図９】
2008070005.tif 000011
【図１０】
2008070005.tif 000012